(57)【要約】【課題】天井に設置される筐体全体の重量バランスが良好となる天井埋込型室内ユニットを提供することにある。【解決手段】ドレンパン７には、筐体１の長手方向に沿って沿って形成された吐出口８、９と、中央部に形成され送風機３の吸込みノズル１１とが位置し、この吸込みノズル１１に対して、筐体１の長手方向の一方には送風機３等の運転を制御する機器が内蔵された電装箱２１を、その他方には吸込みパネルを昇降させる制御機器が収納された制御箱３１を夫々配置した。【選択図】図４
2019148351.tif 000002
【特許請求の範囲】
【請求項１】
天井に設置される長方形の筐体内に送風機、熱交換器を収納し、その筐体の下面の開口にドレンパンを嵌め込むと共に、このドレンパンの下方に吸込みパネルが装着された化粧パネルを配置した天井埋込型室内ユニットにおいて、
前記ドレンパンには、前記筐体の長手方向に沿って形成された吐出口と、中央部に形成され前記送風機の吸込みノズルとが位置し、
この吸込みノズルに対して、前記筐体の長手方向の一方には前記送風機等の運転を制御する機器が内蔵された電装箱を、その他方には吸込みパネルを昇降させる制御機器が収納された制御箱を夫々配置したことを特徴とする天井埋込型室内ユニット。
【請求項２】
前記制御箱は、前記ドレンパンから浮いて支持されていることを特徴とする請求項１に記載の天井埋込型室内ユニット。
【請求項３】
前記ドレンパンの下面には吸込み凹所を備え、この吸込み凹所から前記吐出口までの間には傾斜面が形成されていることを特徴とする請求項１又は請求項２に記載の天井埋込型室内ユニット。
【請求項４】
前記吸込み凹所は前記電装箱の両側に配置されることを特徴とする請求項３に記載の天井埋込型室内ユニット。
【請求項５】
前記吸込み凹所は前記制御箱の両側に配置されることを特徴とする請求項３に記載の天井埋込型室内ユニット。
【請求項６】
前記吐出口を一対備えた二方向カセット型であることを特徴とする請求項１乃至請求項５の何れかに記載の天井埋込型室内ユニット。
【発明の詳細な説明】
【技術分野】
【０００１】
本発明は、天井埋込型室内ユニットの構造に関する。
【背景技術】
【０００２】
一般に、天井に設置される筐体内に送風機、熱交換器を収納し、筐体の下面の開口にドレンパンを嵌め込み、ドレンパンの下方に、吸込みパネルが装着された化粧パネルを配置した天井埋込型室内ユニットが知られている。
この種の天井埋込型室内ユニットでは、吸込みパネルの昇降装置（制御箱）を備えるものが提案されている（例えば、特許文献１参照。）。
【先行技術文献】
【特許文献】
【０００３】
【特許文献１】特開２００７−９３０５０号公報
【発明の概要】
【発明が解決しようとする課題】
【０００４】
しかしながら、従来の構成では、上記筐体内に、吸込みパネルの昇降装置を備えるため、筐体全体の重量バランスが課題となる。
そこで、本発明の目的は、天井に設置される筐体全体の重量バランスが良好となる天井埋込型室内ユニットを提供することにある。
【課題を解決するための手段】
【０００５】
本発明は、天井に設置される長方形の筐体内に送風機、熱交換器を収納し、その筐体の下面の開口にドレンパンを嵌め込むと共に、このドレンパンの下方に吸込みパネルが装着された化粧パネルを配置した天井埋込型室内ユニットにおいて、前記ドレンパンには、前記筐体の長手方向に沿って形成された吐出口と、中央部に形成され前記送風機の吸込みノズルとが位置し、この吸込みノズルに対して、前記筐体の長手方向の一方には前記送風機等の運転を制御する機器が内蔵された電装箱を、その他方には吸込みパネルを昇降させる制御機器が収納された制御箱を夫々配置したことを特徴とする。
【発明の効果】
【０００６】
上記発明によれば、吸込みノズルに対して、筐体の長手方向の一方には電装箱を備え、他方には吸込みパネルを昇降させる制御機器が収納された制御箱を備えたため、二つの重量物が分散配置されて、天井に設置される筐体全体の重量バランスが良好となる。
【図面の簡単な説明】
【０００７】
【図１】本発明に係る天井埋込型室内ユニットの一実施形態を示す斜視図
【図２】同じく縦断面図
【図３】同じく筐体を下方より見た図
【図４】同じく筐体にドレンパンを嵌めて、下方より見た図
【図５】同じく筐体に化粧パネルを配置して、下方より見た図
【図６】図４の一部拡大図
【図７】ドレンパンの下面を示す図
【発明を実施するための形態】
【０００８】
以下、本発明の実施の形態について、図面を参照しながら説明する。なお、本実施の形態によって本発明が限定されるものではない。
【０００９】
第１の発明は、天井に設置される長方形の筐体内に送風機、熱交換器を収納し、その筐体の下面の開口にドレンパンを嵌め込むと共に、このドレンパンの下方に吸込みパネルが装着された化粧パネルを配置した天井埋込型室内ユニットにおいて、前記ドレンパンには、前記筐体の長手方向に沿って形成された吐出口と、中央部に形成され前記送風機の吸込みノズルとが位置し、この吸込みノズルに対して、前記筐体の長手方向の一方には前記送風機等の運転を制御する機器が内蔵された電装箱を、その他方には吸込みパネルを昇降させる制御機器が収納された制御箱を夫々配置したことを特徴とする。
【００１０】
この発明によれば吸込みノズルに対して、筐体の長手方向の一方には電装箱を備え、他方には吸込みパネルを昇降させる制御機器が収納された制御箱を備えたため、二つの重量物が分散配置されて、天井に設置される筐体全体の重量バランスが良好となる。
【００１１】
第２の発明は、第１の発明において、前記昇降装置は前記ドレンパンから浮いて支持されていることを特徴とする。
この発明によれば、昇降装置とドレンパンとの間に通風路が確保されると共に、風路抵抗とならず、振動の発生が抑制される。
【００１２】
第３の発明は、第１又は第２の発明において、前記ドレンパンの下面には吸込み凹所を備え、この吸込み凹所から前記吐出口までの間には傾斜面が形成されていることを特徴とする。
この発明によれば、吸込みフィルタを通って吸い込まれる空気が、傾斜面に沿って吸込み凹所に入るため、通風抵抗が低減し、吸込み空気量が確保し易い。
【００１３】
第４の発明は、第３の発明において、前記吸込み凹所は前記電装箱の両側に配置されることを特徴とする。
この発明によれば、吸込みフィルタを通って吸い込まれる空気が、傾斜面に沿って電装箱の両側の吸込み凹所に入るため、通風抵抗が低減し、吸込み空気量が確保し易い。
【００１４】
第５の発明は、第３の発明において、前記吸込み凹所は前記制御箱の両側に配置されることを特徴とする。
この発明によれば、吸込みフィルタを通って吸い込まれる空気が、傾斜面に沿って制御箱の両側の吸込み凹所に入るため、通風抵抗が低減し、吸込み空気量が確保し易い。
【００１５】
第６の発明は、第１乃至第５の何れかの発明において、前記吐出口を一対備えた二方向カセット型であることを特徴とする。
この発明によれば、天井に設置される二方向カセット型における、筐体全体の重量バランスが良好となる。
【００１６】
以下、図面を参照しつつ本発明の一実施形態について説明する。
図１は、本発明を適用した一実施の形態に係る天井埋込型室内ユニット１００の構成を示す斜視図、図２は、天井埋込型室内ユニット１００の縦断面図である。以下の明細書では、天井埋込型室内ユニット１００を天井に設置した状態を基準として、上方を上、下方を下と、定義する。
天井埋込型室内ユニット１００は、天井に設置される長方形の筐体１を備える。筐体１内には、図２に示すように、遠心送風機３が収納され、この遠心送風機３を囲むように、図３に示すように、略Ｕの字型の熱交換器５が配置される。
【００１７】
この熱交換器５の開放部には、この開放部を閉じる仕切板６が設けられている。この仕切板６は、熱交換器５の内方に凸の山形に形成されている。
仕切板６は、熱交換器５の高さと略等しい高さを備える。この熱交換器５は、筐体１の二つの長手方向の辺１Ａおよび１Ｂに沿って延びる一対の側部５Ａ、５Ｂと、筐体１の一つの短手方向の辺１Ｃに沿って延びる、連結部５Ｃと、を備える。
仕切板６は、一端６Ａが一方の側部５Ａの管板５Ａ−１に固定され、他端６Ｂが他方の側部５Ｂの管板５Ｂ−１に固定される。
【００１８】
筐体１は、図２に示すように、下面に開口１Ｄを備える。この下面の開口１Ｄには、発砲スチロール製の断熱材からなるドレンパン７が嵌め込まれる。ドレンパン７の上面には、熱交換器５の形状に対応させて、平面視において略Ｕの字形状となる凹所７Ａが形成されている。この凹所７Ａには、熱交換器５が設置される。
【００１９】
図４は、図３に示す筐体１にドレンパン７を嵌めた状態を示す。
ドレンパン７は、図４に示すように、筐体１の長手方向に沿って長方形の吐出口８、９を備える。ドレンパン７の中央部には、円形の中央開口１０が設けられている。この中央開口１０には、遠心送風機３の樹脂製の吸込みノズル１１が配置される。
この天井埋込型室内ユニット１００は、対向する位置に吐出口８、９を一対備えた、所謂、二方向カセット型である。
【００２０】
ドレンパン７の下方には、図２に示すように、化粧パネル１３が配置される。化粧パネル１３には、ドレンパン７の吐出口８、９に対応させて、一対の長方形の吹出口１４、１５が形成される。吹出口１４、１５には、風向変更羽根１６が設けられる。
【００２１】
図５は、図４に示す筐体１に化粧パネル１３を取り付けた状態を示す。
化粧パネル１３には、図５に示すように、中央部に矩形状の大きな開口１３Ａが形成される。この開口１３Ａには、樹脂製のセンターパネル（吸込みパネル）１７が配置される。センターパネル１７の上面には、図１に示すように、吸込みフィルタ１８が取り付けられる。吸込みフィルタ１８の周辺部は、ドレンパン７のシール面（不図示）に当接する。
【００２２】
図２を用いて、作用を説明する。
吸込みノズル１１が動作すると、室内空気が、図２に矢印Ｓで示すように、化粧パネル１３の開口１３Ａと、センターパネル１７と、の隙間Ｓ１を通り、さらに吸込みフィルタ１８を通って、ドレンパン７の下面の吸込み凹所７１（図７参照。）に入る。そして、遠心送風機３の吸込みノズル１１を通り、熱交換器５の一次側の空間Ｋ１に吸引される。一次側の空間Ｋ１に入った空気は、遠心送風機３により遠心力を与えられ、外方へ向かい、熱交換器５で熱交換したのち、二次側の空間Ｋ２に入り、矢印Ｓ２で示すように、空間Ｋ２を下方へ流れ、吐出口８、９を経て、吹出口１４、１５から室内に噴出される。
【００２３】
天井埋込型室内ユニット１００は、図４に示すように、電装箱２１と、センターパネル１７の昇降装置（制御箱）３１と、を備える。
電装箱２１は、吸込みノズル１１を挟んで、筐体１の長手方向の一方側に配置され、昇降装置３１は、筐体１の長手方向の他方側に配置される。
電装箱２１は、ドレンパン７に固定される。昇降装置３１は、ドレンパン７から浮いた状態で化粧パネル１３に固定され、ドレンパン７と、昇降装置３１との間には、通風路が確保される。したがって、昇降装置３１が、風路抵抗とはならず、しかも、昇降装置３１が、浮いた状態で支持されるため、昇降装置３１の振動がドレンパン７に伝わらず、振動の発生が抑制される。
【００２４】
電装箱２１には、図示は省略したが、送風機等の運転を制御する機器が内蔵される。制御部は、演算実行部としてのＣＰＵ、このＣＰＵによって実行可能な基本制御プログラムや、所定のデータなどを不揮発的に記憶するＲＯＭ、ＲＡＭなどのメモリ、その他の周辺回路などを備えている。
【００２５】
昇降装置３１は、図１に示すように、４本の吊り紐２２Ａ〜２２Ｄを介して、センターパネル１７を昇降させる。この昇降装置３１には、センターパネル１７を昇降させる制御機器が収納される。
昇降装置３１により、センターパネル１７は、化粧パネル１３から昇降自在に吊り下げられる。４本の吊り紐２２Ａ〜２２Ｄには、樹脂ワイヤ或いは金属ワイヤの外周にビニールコーティングを施したものが使用されるが、ダイヤルコードであってもよい。吸込みフィルタ１８の清掃時には、センターパネル１７を適宜の位置に降下し、センターパネル１７から吸込みフィルタ１８を取り外して清掃することになる。天井の高所のフィルタ清掃作業が軽減される。
【００２６】
昇降装置３１は、図６に示すように、中央に昇降モータ３２を備え、両側に、吊り紐２２Ａ〜２２Ｄを巻き取るためのコイル３３Ａ〜３３Ｄを備える。
各吊り紐２２Ａ〜２２Ｄは、その一端がセンターパネル１７の隅に設けられたフック３４（図１参照。）に連結される。各吊り紐２２Ａ〜２２Ｄの他端は、対応するコイル３３Ａ〜３３Ｄに巻回されている。
各コイル３３Ａ〜３３Ｄは、巻上シャフト３５の両端部に一対ずつ連結される。巻上シャフト３５には、ギア３６、３７を介して、昇降モータ３２が連結される。尚、図示は省略したが、各コイル３３Ａ〜３３Ｄにはクラッチが付設され、各吊り紐２２Ａ〜２２Ｄに、センターパネル１７の重量がかかる程度では、巻上シャフト３５の回転と伴に、吊り紐２２Ａ〜２２Ｄの繰り出し／巻き戻しが行なわれる。
そして、一本または複数本の吊り紐２２Ａ〜２２Ｄの何れかに過大な負荷がかかると、巻上シャフト３５が回転している状態でも、不図示のクラッチが動作して、コイルが空転する構成となっている。
【００２７】
図７は、ドレンパン７の下面を示す。
ドレンパン７は、図７に示すように、下面に長方形の吐出口８、９を備える。ドレンパン７の下面は、吐出口８、９以外の部分が上方に凹む吸込み凹所７１となっている。この吸込み凹所７１の中央部には、上述のように、遠心送風機３の吸込みノズル１１が配置される。
吸込み凹所７１は、下方開口が、吸込みフィルタ１８により塞がれる。
【００２８】
吸込み凹所７１は、略平坦に形成される底部分７１Ａを備える。この底部分７１Ａから高さに差を設けて吐出口８、９が形成される。吐出口８、９の周囲には吐出口側壁８Ａ、９Ａが備えられる。
底部分７１Ａから吐出口側壁８Ａ、９Ａまでの間には、互いに連続する第１の傾斜面（傾斜面）７２および第２の傾斜面（傾斜面）７３が形成されている。
第１の傾斜面７２および第２の傾斜面７３は、ドレンパン７の長手方向に沿って、ドレンパン７の両側の長さ方向の全領域に亘って形成されている。
第２の傾斜面７３の傾斜は、第１の傾斜面７２の傾斜よりも緩やかな傾斜に形成されている。
【００２９】
図７に示すように、底部分７１Ａから吐出口側壁８Ａ、９Ａまでの間に第１の傾斜面７２を設けることにより、ドレンパン７に化粧パネル１３を取り付けたとき、第１の傾斜面７２と化粧パネル１３との間には、空間Ｓ３が生じる。
また、底部分７１Ａから吐出口側壁８Ａ、９Ａまでの間に第２の傾斜面７３を設けることにより、ドレンパン７に化粧パネル１３を取り付けたとき、第２の傾斜面７３と化粧パネル１３との間には、空間Ｓ４が生じる。
これら空間Ｓ３および空間Ｓ４は、吊り紐２２Ａ〜２２Ｄを配置されておく空間にもなる。すなわち、空間Ｓ３および空間Ｓ４は、吊り紐２２Ａ〜２２Ｄの逃げ部分にもなる。
本実施の形態では、空間Ｓ４が吊り紐２２Ａ〜２２Ｄの逃げ部分となっている。
これにより、昇降装置（制御箱）３１を筐体１の中央部から外して配置した場合にも、吊り紐２２Ａ〜２２Ｄを好適に配置可能なレイアウトを提供できる。
【００３０】
図７に示す奥側（一方）の吸込み凹所７１には、上述したように、電装箱２１が配置されている。電装箱２１の幅方向両側には、第１の傾斜面７２および第２の傾斜面７３が存在することになるため、通風路Ｔ１が確保される。
したがって、吸込みフィルタ１８を通って吸い込まれる室内空気が、第１の傾斜面７２および第２の傾斜面７３に沿って、電装箱２１の幅方向両側の吸込み凹所７１に入るため、通風抵抗が低減し、吸込み空気量を確保し易い。
【００３１】
図７に示す手前（他方）の吸込み凹所７１には、上述したように、昇降装置３１が、ドレンパン７の下面から浮いた状態で配置される。昇降装置３１の幅方向両側には、第１の傾斜面７２および第２の傾斜面７３が存在することになるため、通風路Ｔ２が確保される。
したがって、吸込みフィルタ１８を通って吸い込まれる室内空気が、第１の傾斜面７２および第２の傾斜面７３に沿って昇降装置３１の幅方向両側の吸込み凹所７１に入るため、通風抵抗が低減し、吸込み空気量が確保し易い。
また、昇降装置３１が、ドレンパン７の下面から浮いた状態で配置されるため、昇降装置３１とドレンパン７の下面との間に通風路が確保され、通風抵抗が低減し、吸込み空気量が確保し易い。
【００３２】
以上説明したように、本実施の形態によれば、ドレンパン７には、筐体１の長手方向に沿って形成された吐出口と、中央部に形成され遠心送風機（送風機）３の吸込みノズル１１とが位置し、この吸込みノズル１１に対して、筐体１の長手方向の一方には遠心送風機（送風機）３等の運転を制御する機器が内蔵された電装箱２１を、その他方にはセンターパネル（吸込みパネル）１７を昇降させる制御機器が収納された昇降装置（制御箱）３１を夫々配置した。
これによれば、吸込みノズル１１に対して、筐体１の長手方向の一方には電装箱２１を備え、他方には吸込みパネル１７を昇降させる制御機器が収納された昇降装置（制御箱）３１を備えたため、電装箱２１および昇降装置（制御箱）３１の二つの重量物が分散配置されて、天井に設置される筐体１全体の重量バランスが良好となる。
【００３３】
また、本実施の形態によれば、昇降装置３１はドレンパン７から浮いて支持されている。
これによれば、昇降装置３１とドレンパン７との間に通風路が確保されると共に、風路抵抗とならず、振動の発生が抑制される。
【００３４】
また、本実施の形態によれば、ドレンパン７の下面には吸込み凹所７１を備え、この吸込み凹所７１から吐出口８，９までの間には第１の傾斜面７２および第２の傾斜面７３が形成されている。
これによれば、吸込みフィルタ１８を通って吸い込まれる空気が、第１の傾斜面７２および第２の傾斜面７３に沿って吸込み凹所７１に入るため、通風抵抗が低減し、吸込み空気量が確保し易い。
【００３５】
また、本実施の形態によれば、吸込み凹所７１は電装箱２１の両側に配置される。
これによれば、吸込みフィルタ１８を通って吸い込まれる空気が、第１の傾斜面７２および第２の傾斜面７３に沿って電装箱２１の両側の吸込み凹所に入るため、通風抵抗が低減し、吸込み空気量が確保し易い。
【００３６】
また、本実施の形態によれば、吸込み凹所７１は昇降装置（制御箱）３１の両側に配置される。
これによれば、吸込みフィルタ１８を通って吸い込まれる空気が、第１の傾斜面７２および第２の傾斜面７３に沿って昇降装置（制御箱）３１の両側の吸込み凹所７１に入るため、通風抵抗が低減し、吸込み空気量が確保し易い。
【００３７】
また、本実施の形態に係る天井埋込型室内ユニット１００は、吐出口８，９を一対備えた二方向カセット型である。
これによれば、天井に設置される二方向カセット型における、筐体１全体の重量バランスが良好となる。
【００３８】
上述した実施の形態は、本発明の一実施態様を示すものであり、本発明はこれに限定されるものではない。
例えば、上記実施の形態に係る天井埋込型室内ユニットは、二方向カセット型の空気調和装置としたが、一方向カセット型の空気調和装置や、四方向カセット型の空気調和装置においても本発明を適用が可能である。
【００３９】
また、本実施の形態では、昇降装置（制御箱）３１によって昇降するパネルを、センターパネル１７としているが、この構成に限定されるものではなく、センターパネル１７の代わりに、例えば、格子状の開口を有する吸込みグリルなどでもよい。
【符号の説明】
【００４０】
１  筐体
３  遠心送風機（送風機）
５  熱交換器
５Ａ、５Ｂ  側部
５Ｃ  端部
６  仕切板
７  ドレンパン
８、９  吐出口
１１  吸込みノズル
１３  化粧パネル
１４、１５  吹出口
１７  センターパネル（吸込みパネル）
１８  吸込みフィルタ
２１  電装箱
２２  吊り紐
３１  昇降装置（制御箱）
７１  吸込み凹所
７１Ａ  底部分
７２  第１の傾斜面（傾斜面）
７３  第２の傾斜面（傾斜面）
１００  天井埋込型室内ユニット
【図１】
2019148351.tif 000003
【図２】
2019148351.tif 000004
【図３】
2019148351.tif 000005
【図４】
2019148351.tif 000006
【図５】
2019148351.tif 000007
【図６】
2019148351.tif 000008
【図７】
2019148351.tif 000009